(57)【特許請求の範囲】
【請求項１】
建物に取付けられる庇の取付構造であって、
前記庇の基端部に、断面Ｌ字状の取付金具が設けられ、前記建物の躯体に、開口部の上辺部を構成する第一框材が固定され、前記第一框材に、前記取付金具が、その一片部を前記第一框材の上面に当接し、他片部を前記第一框材の前面に当接した状態で固定され、
前記第一框材の上には第二框材が、これら第一框材と第二框材とで前記取付金具の一片部を挟み付けるようにして前記躯体に固定され、さらに、第二框材の上面が、躯体上端面と面一になっていることを特徴とする庇の取付構造。
【請求項２】
請求項１記載の庇の取付構造において、
前記取付金具の一片部と他片部のうち、少なくとも一片部から前記第一框材に止着材がねじ込まれあるいは打ち込まれていることを特徴とする庇の取付構造。
【請求項３】
請求項１または２記載の庇の取付構造において、
前記庇が、前記第一框材に対して直角に配置された棒状をなす複数の第一骨部材と、これら第一骨部材に対して直角に配置されて、これら第一骨部材の先端どうしを連結する棒状の第二骨部材とを備え、前記複数の第一骨部材の基端部のそれぞれに前記取付金具が取付けられていることを特徴とする庇の取付構造。
【請求項４】
請求項３記載の庇の取付構造において、
前記第一骨部材の基端部と、この第一骨部材に隣り合う第一骨部材と前記第二骨部材の交差部との間に、斜め材が架設されていることを特徴とする庇の取付構造。
【発明の詳細な説明】
【０００１】
【発明の属する技術分野】
本発明は、建物等に庇を取付ける庇の取付構造に関するものである。
【０００２】
【背景の技術】
庇の取付構造の一例として、例えば、特開平６−１４６４５７号公報に記載の技術が知られている。
この技術を、図７を参照して説明する。図７において符号１は庇、符号２は建物の外壁を示している。庇１の基端部には金具３が木ねじ４によって取付けられている。この金具３はその上下にそれぞれ固定片３ａ、３ｂを有しており、固定片３ａ、３ｂの間に係合片３ｃを有している。
一方、外壁２には前記金具３に係合する金具５が木ねじ８によって取付けられている。この金具５は、固定片５ａと前記係合片３ｃに係合する係合片５ｃを有している。
前記庇１を外壁２に取付ける場合、金具３の係合片３ｃを金具５の係合片５ｃに係合したうえで、前記固定片３ａから固定片５ａにビス６をねじ込むとともに、固定片３ｂから外壁２に木ねじ７をねじ込むことによって、行なっている。
【０００３】
【発明が解決しようとする課題】
ところで、上記従来の技術では、庇１を外壁２に取付ける作業に非常に手間がかかる。すなわち、まず、金具３の係合片３ｃを金具５の係合片５ｃに係合する場合、係合片３ｃが固定片３ａと３ｂの間にあるために、係合片３ｃや係合片５ｃが作業者から見ずらくなり、このため係合片３ｃを係合片５ｃに係合するのに手間がかかる。また、固定片５ａ上に固定片３ａを当接してビス６をねじ込む際にも、固定片５ａ、３ａに形成されたビス穴を合わせるのに手間がかかる。さらに、固定片３ｂから外壁２に木ねじ７をねじ込む場合も、下からのねじ込み作業であるので手間がかかるうえ、作業が非常に行ない難い。
また従来の技術では、上述したように、庇１を建物の外壁２に取付ける作業に非常に手間がかかるばかりか、庇１や外壁２に取付ける金具３、５が比較的複雑な形状であるので、これら金具３、５に要するコストもかかる。
【０００４】
本発明は、上記事情に鑑みてなされたもので、庇を建物に容易に取付けることができるとともに、取付けに要する部品のコストを低減できる庇の取付構造を提供することを目的としている。
【０００５】
【課題を解決するための手段】
上記目的を達成するために、請求項１記載の発明は、例えば、図１〜図６に示すように、建物に取付けられる庇９の取付構造であって、前記庇９の基端部に、断面Ｌ字状の取付金具１０が設けられ、前記建物の躯体に、開口部１６の上辺部を構成する第一框材１７が固定され、前記第一框材１７に、前記取付金具１０が、その一片部１０ａを前記第一框材１７の上面１７ａに当接し、他片部１０ｂを前記第一框材１７の前面１７ｂに当接した状態で固定され、
前記第一框材１７の上には第二框材２１が、これら第一框材１７と第二框材２１とで前記取付金具１０の一片部１０ａを挟み付けるようにして前記躯体に固定され、さらに、第二框材２１の上面が、躯体上端面２５と面一になっていることを特徴としている。
【０００６】
請求項１記載の発明によれば、建物の躯体に、開口部１６の上辺部を構成する第一框材１７が固定され、この第一框材１７に、断面Ｌ字状の取付金具１０が、その一片部１０ａを第一框材１７の上面１７ａに当接し、他片部１０ｂを前記第一框材１７の前面１７ｂに当接した状態で固定されているので、つまり、第一框材１７に取付金具１０を当接して固定するだけなので、庇９を建物に容易に取付けることができる。また、庇９を建物に取付ける取付金具１０は、断面Ｌ字状であり、従来に比して簡単な形状であるので、取付金具１０に要するコストを低減できる。さらに、庇９にその自重等によって作用する荷重を、取付金具１０の一片部１０ａが第一框材１７の上面１７ａに当接し、他片部１０ｂが第一框材１７の前面１７ｂに当接することによって、第一框材１７で負担することができ、取付強度が優れたものとなる。
また、第一框材１７の上には第二框材２１が、これら第一框材１７と第二框材２１とで前記取付金具１０の一片部１０ａを挟み付けるようにして前記躯体に固定されているので、第一框材１７から取付金具１０が外れるのを効果的に防止できる。また、第二框材２１の上面が、躯体上端面２５と面一になっているので、第二框材２１の上面と躯体の上端面に亘って、さらに躯体としての壁を構築したり、屋根を構築する際の構築作業を支障なく行える。
【０００７】
請求項２記載の発明は、請求項１記載の庇９の取付構造において、
例えば、図４および図５に示すように、
前記取付金具１０の一片部１０ａと他片部１０ｂのうち、少なくとも一片部１０ａから前記第一框材１７に止着材２０がねじ込まれあるいは打ち込まれていることを特徴としている。
【０００８】
請求項２記載の発明によれば、取付金具１０の一片部１０ａと他片部１０ｂのうち、少なくとも一片部１０ａから前記第一框材１７に止着材２０がねじ込まれあるいは打ち込まれているので、庇９にその自重によって作用する荷重を、前記止着材２０のせん断抵抗によっても、負担することができ、より取付強度が優れたものとなる。
【００１１】
請求項３記載の発明は、請求項１または２記載の庇９の取付構造において、例えば、図１および図２に示すように、前記庇９が、前記第一框材１７に対して直角に配置された棒状をなす複数の第一骨部材１１と、これら第一骨部材１１に対して直角に配置されて、これら第一骨部材１１の先端どうしを連結する棒状の第二骨部材１２とを備え、前記複数の第一骨部材１１の基端部のそれぞれに前記取付金具１０が取付けられていることを特徴としている。
【００１２】
請求項３記載の発明によれば、前記庇９が、複数の第一骨部材１１と、これら第一骨部材１１に対して直角に配置されて、これら第一骨部材１１の先端どうしを連結する第二骨部材１２とを備えているので、第一骨部材１１と第二骨部材１２とがいわゆるラーメン構造となり、構造的に強固な庇９となるとともに、庇９をほぼフラットに形成することができる。また、第一骨部材１１の本数、第二骨部材１２の長さを調整することによって、庇９の大きさを容易に変更することができる。さらに、前記複数の第一骨部材１１の基端部のそれぞれに前記取付金具１０が取付けられているので、複数の第一骨部材１１のそれぞれを第一框材１７に固定でき、よって、第一骨部材１１と第二骨部材１２を備えた庇９を建物に容易に取付けることができる。
【００１３】
請求項４記載の発明は、請求項３記載の庇９の取付構造において、例えば、図１および図２に示すように、前記第一骨部材１１の基端部と、この第一骨部材１１に隣り合う第一骨部材１１と前記第二骨部材１２の交差部との間に、斜め材１４が架設されていることを特徴としている。
【００１４】
請求項４記載の発明によれば、第一骨部材１１の基端部と、この第一骨部材１１に隣り合う第一骨部材１１と前記第二骨部材１２の交差部との間に、斜め材１４が架設されているので、庇９を建物に取付けたりする際や地震等の際に、該庇９に作用する横荷重を斜め材１４によって負担して、庇９の歪みを効果的に防止できる。
【００１５】
【発明の実施の形態】
以下、図面を参照して、本発明の庇の取付構造の実施の形態について説明する。
図１は本発明の庇の取付構造の一例を示すもので、その斜視図、図２は同分解斜視図である。これらの図に示すように、本例の庇の取付構造は、庇９の基端部に取付金具１０が設けられ、建物の躯体に第一框材１７が固定され、この第一框材１７に取付金具１０が固定された構成となっている。
【００１６】
前記庇９は、図１および図２に示すように、棒状の３本の第一骨部材１１と、棒状の一本の第二骨部材１２とを備えている。
【００１７】
前記第一骨部材１１は、四角筒状をなす鉄骨で形成されたものであり、前記第一框材１７と直角に、かつ、互いに所定間隔をおいて平行に配置されている。
【００１８】
前記第二骨部材１２は、四角筒状をなす鉄骨で形成されたものであり、前記第一骨部材１１に対して直角に配置されている。また、第二骨部材１２の両端部および中央部には、それぞれ前記第一骨部材１１の先端部が固定されており、これによって、前記第二骨部材１２は三本の第一骨部材１１の先端部どうしを連結している。
【００１９】
前記取付金具１０は断面Ｌ字状に形成されている。すなわち、図５に示すように、前記取付金具１０は前記第一框材１１の上面１７ａに当接する一片部１０ａと前記第一框材１１の前面１７ｂに当接する他片部１０ｂとが直角に交わり、形成されている。また、前記取付金具１０は前記第一骨部材１１の幅よりも幅広に形成されている。
【００２０】
また、図３に示すように、前記第一骨部材１１の基端部には三角形板状の係止部１５ａが形成されており、第一骨部材１１と第二骨部材１２との交差部には三角形板状の係止部１５ｂが形成されている。つまり、第一骨部材１１と第二骨部材１２とを備えた庇９内には、その対向する角部１３ａ、１３ｂにそれぞれ係止部１５ａ、１５ｂが形成されている。そして、対向する係止部１５ａ、１５ｂ間には、金属製の線材で形成された斜め材１４が配置されており、この斜め材１４の一端部が前記係止部１５ａに係止され、他端部が前記係止部１５ｂに係止されている。これによって、前記第一骨部材１１の基端部と、この第一骨部材１１に隣り合う第一骨部材１１と前記第二骨部材１２の交差部との間に、斜め材１４が架設されている。
【００２１】
前記第一框材１７は、図２に示すように、建物の躯体の前記開口部１６の上辺部を構成するものであり、前記取付金具１０が当接する箇所には当接面１９が形成されている。該当接面１９は図５および図６に示すように、前記第一框材１７に座掘り加工を施して形成されたもので、前記取付金具１０の一片部１０ａと当接する当接面１９の上面１９ａと他片部１０ｂに当接する前面１９ｂが形成とで構成されている。該座掘り加工によって、前記第一框材１７の上面１７ａおよび前面１７ｂから前記当接面１９までの深さは前記取付金具１０の厚さと同じか、やや深く形成されている。また、前記当接面１９は前記取付金具１０の横幅と同幅か、やや幅広に形成されている。
【００２２】
前記第二框材２１は、図１に示すように、前記第一框材１７と同長さ同厚さの角材である。また、第二框材２１は、該第二框材２１と第一框材１７とで前記取付金具１０の一片部１０ａを挟み付けるようにして前記躯体に固定されている。さらに、第二框材２１の上面は、躯体上端面２５と面一になっている。
【００２３】
次に上記構成の庇９の取付方法について説明する。
まず、前記第一框材１７に形成された前記当接面１９に前記取付金具１０の前記一片部１０ａおよび前記他片部１０ｂを当接させる。そして、図４および図５に示すように、前記庇９を支えながら、前記取付金具１０の一片部１０ａからコーチスクリュー等の止着材２０を前記第一框材１７にねじ込む。さらに、前記取付金具１０の他片部１０ｂからも、止着材２０を第一框材１７にねじ込む。そして、第二框材２１を釘等（図示せず）を用いて躯体に取付ける。この際に、前記第一框材１７と前記第二框材２１とで前記取付金具１０の一片部１０ａを挟み付けるようにする。さらに、図１に示すように、前記第二框材２１の上面が、躯体上端面２５と面一になるようにして取付ける。
【００２４】
次に、図４に示すように、庇先端部材２２および庇天井部材２３および庇屋根部材２４をビス等（図示せず）によって前記庇９に止着していき、前記庇９の取付けを完成させる。
【００２５】
本実施の形態の庇の取付構造によれば以下のような効果が得られる。
建物の躯体に、開口部１６の上辺部を構成する第一框材１７が固定され、この第一框材１７に、断面Ｌ字状の取付金具１０が、その一片部１０ａを第一框材１７の上面１７ａに当接し、他片部１０ｂを前記第一框材１７の前面１７ｂに当接した状態で固定されているので、つまり、第一框材１７に取付金具１０を当接して固定するだけなので、庇９を建物に容易に取付けることができる。また、庇９を建物に取付ける金具は、断面Ｌ字状であり、従来に比して簡単な形状であるので、取付金具１０に要するコストを低減できる。さらに、庇９にその自重等によって作用する荷重を、取付金具１０の一片部１０ａが第一框材１７の上面１７ａに当接し、他片部１０ｂが第一框材１７の前面１７ｂに当接することによって、第一框材１７で負担することができ、取付強度が優れたものとなる。
【００２６】
また、取付金具１０の一片部１０ａと他片部１０ｂから前記第一框材１７に止着材２０がねじ込まれているので、庇９にその自重によって作用する荷重を、この止着材２０のせん断抵抗によっても、負担することができ、より取付強度が優れたものとなる。
【００２７】
また、第一框材１７の上には第二框材２１が、これら第一框材１７と第二框材２１とで前記取付金具１０の一片部１０ａを挟み付けるようにして前記躯体に固定されているので、第一框材１７から取付金具１０が外れるのを効果的に防止できる。また、第二框材２１の上面が、躯体上端面２５と面一になっているので、第二框材２１の上面と躯体の上端面に亘って、さらに躯体としての壁を構築したり、屋根を構築する際の構築作業を支障なく行える。
【００２８】
また、前記庇９が、複数の第一骨部材１１と、これら第一骨部材１１に対して直角に配置されて、これら第一骨部材１１の先端どうしを連結する第二骨部材１２とを備えているので、第一骨部材１１と第二骨部材１２とがいわゆるラーメン構造となり、構造的に強固な庇９となるとともに、庇９をほぼフラットに形成することができる。また、第一骨部材１１の本数、第二骨部材１２の長さを調整することによって、庇９の大きさを容易に変更することができる。さらに、前記複数の第一骨部材１１の基端部のそれぞれに前記取付金具１０が取付けられているので、複数の第一骨部材１１のそれぞれを第一框材１７に固定でき、よって、第一骨部材１１と第二骨部材１２を備えた庇９を建物に容易に取付けることができる。
【００２９】
また、第一骨部材１１の基端部と、この第一骨部材１１に隣り合う第一骨部材１１と前記第二骨部材１２の交差部との間に、斜め材１４が架設されているので、庇９を建物に取付けたりする際や地震等の際に、該庇９に作用する横荷重を斜め材１４によって負担して、庇９の歪みを効果的に防止できる。
【００３０】
また、前記第一框材１７の上面１７ａおよび前面１７ｂから前記当接面１９までの深さは前記取付金具１０の厚さと同じか、やや深く形成されているので、前記第一框材１７の上部の躯体に前記第二框材２１を取付ける際に、該第二框材２１を前記第一框材１７にぴったり重なるように容易に取付けることができる。
【００３１】
なお、本実施の形態では、前記庇屋根部材２４に比較的フラットなものを使用しているが、傾斜の付いたものを使用してもよい。
【００３２】
【発明の効果】
以上説明したように、本発明の請求項１の発明によれば、第一框材に、断面Ｌ字状の取付金具が、その一片部を第一框材の上面に当接し、他片部を前記第一框材の前面に当接した状態で固定されているので、つまり、第一框材に取付金具を当接して固定するだけなので、庇を建物に容易に取付けることができる。また、庇を建物に取付ける金具は、断面Ｌ字状であり、従来に比して簡単な形状であるので、取付金具に要するコストを低減できる。
また、第一框材と第二框材とで前記取付金具の一片部を挟み付けるようにして前記躯体に固定されているので、第一框材から取付金具が外れるのを効果的に防止できる。また、第二框材の上面が、躯体上端部と面一になっているので、第二框材の上面と躯体の上端面に亘って、さらに躯体としての壁を構築したり、屋根を構築する際の構築作業を支障なく行える。
【００３３】
請求項２の発明によれば、請求項１と同様の効果を得ることができるのは勿論のこと、取付金具の一片部と他片部のうち、少なくとも一片部から前記第一框材に止着材がねじ込まれあるいは打ち込まれているので、庇にその自重によって作用する荷重を、この止着材のせん断抵抗によっても、負担することができ、より取付強度が優れたものとなる。
【００３５】
請求項３の発明によれば、請求項１または２と同様の効果を得ることができるのは勿論のこと、前記庇が、複数の第一骨部材と、これら第一骨部材に対して直角に配置されて、これら第一骨部材の先端どうしを連結する第二骨部材とを備えているので、第一骨部材１１と第二骨部材１２とがいわゆるラーメン構造となり、構造的に強固な庇となるとともに、庇をほぼフラットに形成することができる。また、第一骨部材の本数、第二骨部材の長さを調整することによって、庇の大きさを容易に変更することができる。さらに、前記複数の第一骨部材の基端部のそれぞれに前記取付金具が取付けられているので、複数の第一骨部材のそれぞれを第一框材に固定でき、よって、第一骨部材と第二骨部材を備えた庇を建物に容易に取付けることができる。
【００３６】
請求項４の発明によれば、請求項３と同様の効果を得ることができるのは勿論のこと、第一骨部材の基端部と、この第一骨部材に隣り合う第一骨部材と前記第二骨部材の交差部との間に、斜め材が架設されているので、庇を建物に取付けたりする際や地震等の際に、該庇に作用する横荷重を斜め材によって負担して、庇の歪みを効果的に防止できる。
【図面の簡単な説明】
【図１】本発明の庇の取付構造の一例を説明するもので、その斜視図である。
【図２】同、分解斜視図である。
【図３】同、庇の取付構造の平面図である。
【図４】同、庇を建物に取付けた状態を示す断面図である。
【図５】同、庇を第一框材に固定した状態を示す要部の断面図である。
【図６】同、第一框材の要部を示す斜視図である。
【図７】従来の庇の取付構造の一例を示すもので、その断面図である。
【符号の説明】
９  庇
１０  取付金具
１０ａ  一片部
１０ｂ  他片部
１１  第一骨部材
１２  第二骨部材
１４  斜め材
１６  開口部
１７  第一框材
１７ａ  上面
１７ｂ  前面
２０  止着材
２１  第二框材
２５  躯体上端
【図１】
0004733847.tif 000002
【図２】
0004733847.tif 000003
【図３】
0004733847.tif 000004
【図４】
0004733847.tif 000005
【図５】
0004733847.tif 000006
【図６】
0004733847.tif 000007
【図７】
0004733847.tif 000008